(57)【特許請求の範囲】
【請求項１】
ユーザ機器（ＵＥ）（１０，１９）がページング可能かどうかを示す、又は前記ＵＥ（１０，１９）がページングされるかどうかを示す、ページング関連情報（７２；７６）を含むシグナリングメッセージ（６５；７０；７５；９１；９４；９５）を送信又は受信するように動作する無線インタフェース（１１）と、
前記ページング関連情報（７２；７６）に依存して、前記無線インタフェース（１１）を制御するように動作する電子回路（１４）と、
を備え、
前記無線インタフェース（１１）は、前記ＵＥ（１０，１９）がページング不可能であること、又は前記ＵＥ（１０，１９）がページング可能であることを示す前記ページング関連情報（７２；７６）を含む、少なくとも１つのＵＥケイパビリティシグナリングメッセージ（６５；７０；７５）を送信するように動作し、
前記ＵＥ（１０，１９）は、アタッチ手続き又は登録手続きにおける前記ページング関連情報（７２；７６）を含む前記ＵＥケイパビリティシグナリングメッセージ（６５；７０；７５）を送信するように動作する、
ユーザ機器。
【請求項２】
前記少なくとも１つのＵＥケイパビリティシグナリングメッセージ（６５；７０）は、ＵＥカテゴリ標識（７１）、及び前記ユーザ機器がページング可能かどうかを示す少なくとも１つのページング可能性標識ビット（７２）の双方を含み、前記少なくとも１つのページング可能性標識ビット（７２）は、前記ＵＥカテゴリ標識（７１）とは異なる情報エレメントである、請求項１のユーザ機器。
【請求項３】
前記少なくとも１つのＵＥケイパビリティシグナリングメッセージ（７５）に含まれるＵＥカテゴリ標識（７６）は、前記ＵＥがページング可能かどうかを示す、請求項１のユーザ機器。
【請求項４】
前記ＵＥカテゴリ標識（７６）は、前記ＵＥ（１０，１９）が、ページング不可能なＮＢ−ＩｏＴ（Narrow  Band  Internet  of  Things）デバイスのクラスに含まれることを示す、請求項３のユーザ機器。
【請求項５】
前記ＵＥ（１０，１９）は、セルラネットワーク（３０，４０）によって、ページング不可能であるように構成可能である、請求項１〜４のいずれか１項のユーザ機器。
【請求項６】
前記ＵＥ（１０，１９）は、前記ＵＥ（１０，１９）にページングに対するリスニングを抑制させる、前記セルラネットワーク（３０，４０）からのシグナリングメッセージ（９１；９４；９５）を受信するように動作する、請求項５のユーザ機器。
【請求項７】
前記ＵＥ（１０，１９）がページング不可能であることを前記ページング関連情報（７２；７６）が示す場合、又は前記ＵＥ（１０，１９）がページングされないことを前記ページング関連情報が示す場合に、前記電子回路（１４）は、前記ＵＥ（１０，１９）がページングチャネル上でリッスンしないように、前記無線インタフェース（１１）を制御するように動作する、請求項１〜６のいずれか１項のユーザ機器。
【請求項８】
ページング不可能であるか、又はページングされない前記ＵＥ（１０，１９）は、
拡張カバレッジ（ＥＣ：extended  coverage）モードで操作するＵＥ、又は
ダウンリンクデータトラフィックにおいて高いレイテンシの影響を受けないＵＥ、又は
ＮＢ−ＩｏＴ（Narrow  Band  Internet  of  Things）デバイスである、請求項７のユーザ機器。
【請求項９】
前記ＵＥが、モバイル発信（ＭＯ）トラフィックを開始した、又はトラッキングエリア更新（ＴＡＵ）手続を行った後で、ページング不可能な前記ＵＥ（１０，１９）は、ダウンリンクユーザデータを受信するように動作する、請求項７又は８のユーザ機器。
【請求項１０】
ユーザ機器（ＵＥ）（１０，１９）がページング可能かどうかを示す、又は前記ＵＥ（１０，１９）がページングされるかどうかを示す、ページング関連情報（７２；７６）を含むシグナリングメッセージ（６５；７０；７５；９１；９４；９５）を受信又は送信するように動作するインタフェース（２１）と、
前記ページング関連情報（７２；７６）に依存して、前記ＵＥ（１０，１９）のページングを制御するように動作する処理デバイス（２４）と、
を備え、
前記処理デバイス（２４）は、
前記ＵＥ（１０，１９）からのＵＥケイパビリティシグナリングメッセージ（６５；７０；７５）を処理するように動作し、前記ＵＥケイパビリティシグナリングメッセージ（６５；７０；７５）が、前記ＵＥ（１０，１９）がページング可能かどうかを示す前記ページング関連情報（７２；７６）を含むか、又は
前記ＵＥ（１０，１９）に、前記ＵＥ（１０，１９）がページングされないことを通知するように動作し、
前記ＵＥ（１０，１９）は、アタッチ手続き又は登録手続きにおける前記ページング関連情報（７２；７６）を含む前記ＵＥケイパビリティシグナリングメッセージ（６５；７０；７５）を送信するように動作する、ネットワークノード。
【請求項１１】
前記処理デバイス（２４）は、ページング不可能なＵＥ（１０、１９）のためのダウンリンクデータ送信を、前記ＵＥがモバイル発信（ＭＯ）トラフィックを開始するか、又はトラッキングエリア更新（ＴＡＵ）手続を行うまで、遅延させるように動作する、請求項１０のネットワークノード。
【請求項１２】
請求項１〜９のいずれか１項のユーザ機器（１０，１９）と、
請求項１０又は１１のネットワークノード（２０）と、
を備える、システム。
【請求項１３】
ユーザ機器（１０，１９）とセルラネットワークとの間で無線通信を行う方法であって、
前記ユーザ機器（ＵＥ）（１０，１９）がページング可能かどうかを示す、又は前記ＵＥ（１０，１９）がページングされるかどうかを示す、ページング関連情報（７２；７６）を含むシグナリングメッセージ（６５；７０；７５；９１；９４；９５）を送信することを含み、
前記ＵＥ（１０，１９）がページング不可能であること、又は前記ＵＥ（１０，１９）がページング可能であることを示す前記ページング関連情報（７２；７６）を含む、少なくとも１つのＵＥケイパビリティシグナリングメッセージ（６５；７０；７５）を送信するように動作し、
前記ＵＥ（１０，１９）は、アタッチ手続き又は登録手続きにおける前記ページング関連情報（７２；７６）を含む前記ＵＥケイパビリティシグナリングメッセージ（６５；７０；７５）を送信するように動作し、
前記ＵＥ（１０，１９）がページング不可能であると前記ページング関連情報が示す場合に、前記ＵＥ（１０，１９）が、ページングチャネル上でリッスンしない、方法。 
【発明の詳細な説明】
【技術分野】
【０００１】
本発明の実施形態は、ワイヤレス通信に関する。本発明の実施形態は、特に、ユーザ機器と、ユーザ機器がページング信号に対してリッスンするかどうかを判断する無線アクセスネットワークノードとの間のシグナリングに関する。
【背景技術】
【０００２】
モバイルデータ通信の需要の増加とともに、セルラ通信ネットワークとの通信用の無線インタフェースが装備されたデバイスの数が、ますます増加してきている。センサ及びウェアラブルデバイスは、セルラネットワークとの通信用に動作し得るデバイスの例である。
【０００３】
スマートフォン又はポータブルコンピュータなどのいくつかの種類のユーザ機器には、高いデータレートを提供することが期待されているが、高いデータレートを必要としない可能性がある他の種類のユーザ機器にとって、バッテリー寿命は極めて重要なものである。センサ、ウェアラブルデバイス、又は少量のデータを低い頻度で送信し、長いダウンリンクレイテンシに対応し得る他のユニットは、長いバッテリー寿命が特に関係するデバイスの例である。さらに、セルラネットワークとの通信用に配備されるユーザ機器の数がますます増加している点から見て、リソース使用量は、関連する課題となる。無線アクセスネットワークの負荷を減少させることを支援し得る技術は、ますます重要となっている。
【０００４】
センサや、ダウンリンクデータ送信における高いレイテンシに対応し得る他のデバイスなどのユーザ機器の大規模配備の場合、ページング信号に対するリスニングは、ユーザ機器の重大なエネルギー消費源である可能性がある。ユーザ機器が、システム情報をモニタリングし、又はページ信号を受信する必要がない期間と、ユーザ機器が、ユーザ機器に向けられる潜在的なページングに対してリッスンするために起きている期間と、を含む間欠受信（ＤＲＸ：Discontinuous  reception）方式は、電力消費を減少させ得る。しかしながら、ユーザ機器が、ページングに対してリッスンするために起きている期間は、バッテリー寿命を減少させる恐れがあり、ページングを受信する必要がないユーザ機器のページングが、無線アクセスネットワークの負荷に加わる可能性がある。
【発明の概要】
【発明が解決しようとする課題】
【０００５】
上記欠点の少なくともいくつかを軽減するデバイス、システム、及び方法に対する、当技術分野における継続的な必要性が存在する。ユーザ機器のバッテリー寿命が延長されることを可能にし、及び／又は無線アクセスネットワークの負荷が減少されることを可能にするデバイス、システム、及び方法に対する必要性が存在する。
【課題を解決するための手段】
【０００６】
実施形態によれば、ページング構成のためのシグナリングが提供される。いくつかの実施形態では、ユーザ機器（ＵＥ：user  equipment）は、セルラネットワークに、ＵＥがページング不可能であることを通知してもよい。ＵＥは、ＵＥがページング不可能であることを示すページング関連情報を、ＵＥケイパビリティシグナリングメッセージに含めてもよい。ＵＥがページング不可能であることを示すページング関連情報は、ＵＥがページング不可能であること、又はＵＥがページング可能であることを明確に示す１つ又は複数の標識ビットで構成されてもよい。ＵＥがページング不可能であることを示す情報は、ＵＥクラスを示す、ＵＥケイパビリティシグナリングメッセージ内のＵＥカテゴリにも含まれてもよい。セルラネットワークは、ＵＥがページング不可能であることを、ＵＥによってシグナリングされるＵＥカテゴリから理解してもよい。
【０００７】
代替的に、又は追加的には、セルラネットワークは、ＵＥがセルラネットワークによってページングされないことをＵＥに通知してもよい。例示として、拡張カバレッジ（ＥＣ：extended  coverage）モードで動作するＵＥの大規模な配備において、セルラネットワークは、ＵＥクラス又はＵＥカテゴリに依存して、あるＵＥがページングを受信しないことをＵＥに通知してもよい。
【０００８】
ＵＥがページング不可能である場合、又はＵＥがページングを受信しないことをセルラネットワークがＵＥに通知する場合、ＵＥは、ページングチャネル上でのリスニングを抑制することとなる。さらに、セルラネットワークは、それぞれのユーザ機器にページングすることを抑制してもよい。ＵＥのバッテリー寿命は、延長され、無線アクセスネットワークの負荷が減少する。
【０００９】
一実施形態によるユーザ機器は、ユーザ機器（ＵＥ）がページング可能であるかどうかを示す、又はＵＥがページングされるかどうかを示す、ページング関連情報を含むシグナリングメッセージを送信又は受信するように動作する無線インタフェースを備える。ＵＥは、ページング関連情報に依存して無線インタフェースを制御するように動作する電子回路を備える。
【００１０】
ＵＥがページング不可能であることを、ＵＥがセルラネットワークに示した場合、又はセルラネットワークがＵＥにページングしないことをセルラネットワークが示した場合、このような構成を有するＵＥは、ページングに対して全くリッスンしないように動作してもよい。これによって、ＵＥのバッテリー寿命は、延長され得る。さらに、無線アクセスネットワークにおける負荷も、減少され得る。
【００１１】
無線インタフェースは、ＵＥがページング不可能であること、又はＵＥがページング可能であることを示すページング関連情報を含む、少なくとも１つのＵＥケイパビリティシグナリングメッセージを送信するように動作してもよい。これによって、ＵＥは、ＵＥがページング不可能であることをセルラネットワークに通知することが可能となる。
【００１２】
少なくとも１つのＵＥケイパビリティシグナリングメッセージは、ＵＥカテゴリ標識、及びユーザ機器がページング可能かどうかを示す少なくとも１つのページング可能性標識ビットの双方を含んでもよく、少なくとも１つのページング可能性標識ビットは、ＵＥカテゴリ標識とは異なる情報エレメントである。これによって、ＵＥは、ＵＥカテゴリとは独立した情報エレメントを使用して、ＵＥがページング不可能であることをセルラネットワークに通知することが可能となる。同一のＵＥカテゴリ内の異なるＵＥが、ページング可能であるか、又はページング不可能であるように選択的に定義されてもよい。
【００１３】
少なくとも１つのＵＥケイパビリティシグナリングメッセージに含まれるＵＥカテゴリ標識は、ＵＥがページング可能かどうかを示してもよい。これによって、ＵＥは、ＵＥケイパビリティシグナリングメッセージにとにかく含まれなければならないＵＥカテゴリ標識を使用して、ＵＥがページング不可能であるという事実をセルラネットワークに通知することが可能となる。
【００１４】
ＵＥカテゴリ標識は、ＵＥが、ページング不可能なＮＢ−ＩｏＴ（Narrow  Band  Internet  of  Things）デバイスのクラスに含まれることを示してもよい。
【００１５】
ＵＥがページング不可能であるという事実を、ＵＥがセルラネットワークにどのように通知するかに関わりなく、ページング不可能なＵＥは、拡張カバレッジ（ＥＣ）モードで動作するＵＥ、又はページング不可能なＮＢ−ＩｏＴデバイスであってもよい。
【００１６】
ＵＥは、セルラネットワークによって、ページング不可能であるように構成可能であってもよい。このことが、ネットワークに、ＵＥがページングに対してリッスンするかどうかについての制御を与える。セルラネットワークは、例えば、あるＵＥクラスのＵＥの数、又はセル内のＵＥの総数が閾値を超える場合に、ＵＥにページングに対するリスニングを選択的に抑制させてもよい。
【００１７】
ＵＥは、ページング信号に対するリスニングをＵＥに抑制させる、セルラネットワークからのシグナリングメッセージを受信するように動作してもよい。
【００１８】
電子回路は、ＵＥがページング不可能であることをページング関連情報が示す場合、又はＵＥがページングされないことをページング関連情報が示す場合に、ＵＥがページングチャネル上でリッスンしないように、無線インタフェースを制御するように動作してもよい。これによって、ＵＥのバッテリー寿命は、延長され得る。
【００１９】
ページング不可能な、又はセルラネットワークによってページングされないＵＥは、拡張カバレッジ（ＥＣ）モードで動作しているＵＥであってもよい。
【００２０】
ページング不可能なＵＥ、又はセルラネットワークによってページングされないＵＥは、ダウンリンクデータトラフィックにおいて高いレイテンシの影響を受けないＵＥであってもよい。マシンタイプ通信（ＭＴＣ：machine  type  communication）デバイスは、このようなデバイスの例示である。
【００２１】
ページング不可能なＵＥ、又はセルラネットワークによってページングされないＵＥは、ＮＢ−ＩｏＴ（Narrow  Band  Internet  of  Things）デバイスであってもよい。
【００２２】
ＵＥが、モバイル発信（ＭＯ：mobile  originated）トラフィックを開始した、又はトラッキングエリア更新（ＴＡＵ：tracking  area  update）手続を行った後で、ページング不可能なＵＥは、ダウンリンクユーザデータを受信するように動作してもよい。これによって、セルラネットワークノードは、例えば、ダウンリンクデータ送信において、ＴＡＵレスポンス上にピギーバックすることが可能となる。
【００２３】
ページング不可能なＵＥは、センサ、又はウェアラブルデバイスであってもよい。
【００２４】
一実施形態によるネットワークノードは、ユーザ機器（ＵＥ）がページング可能であるかどうかを示す、又はＵＥがページングされるかどうかを示す、ページング関連情報を含むシグナリングメッセージを受信又は送信するように動作するインタフェースを備える。ネットワークノードは、ページング可能性情報に依存して、ＵＥへのページングの送信を制御するように動作する処理デバイスを備える。
【００２５】
ＵＥから受信されるページング関連情報が、ＵＥがページング不可能であると示す場合、又はネットワークノードによってＵＥに送信されるページング関連情報が、ネットワークがＵＥにページングしないことを示す場合、このような構成を有するネットワークノードは、ＵＥにページングしないように動作してもよい。無線アクセスネットワークの負荷が減少され得る。
【００２６】
ネットワークノードの処理デバイスは、ＵＥケイパビリティシグナリングメッセージを処理するように動作してもよい。ＵＥケイパビリティシグナリングメッセージは、ＵＥがページング可能かどうかを示すページング関連情報を含んでもよい。
【００２７】
ネットワークノードの処理デバイスは、ＵＥケイパビリティシグナリングメッセージに含まれる少なくとも１つのページング可能性標識ビットから、ＵＥがページング不可能であると判断するように動作してもよい。
【００２８】
ネットワークノードの処理デバイスは、ＵＥケイパビリティシグナリングメッセージに含まれるＵＥカテゴリ標識から、ＵＥがページング不可能であると判断するように動作してもよい。
【００２９】
ネットワークノードの処理デバイスは、ＵＥがページングされないことをＵＥに通知するように動作してもよい。ネットワークノードの処理デバイスは、ＵＥがページングされるべきかどうかを判断するための、任意の１つの基準、又は任意の組み合わせの基準を評価してもよい。例示として、無線アクセスネットワークの負荷が、ＵＥがページングされるべきかどうかを判断するためにモニタリングされてもよい。代替的に、又は追加的には、ＵＥへのダウンリンクデータ送信におけるレイテンシが、ＵＥがページングされる必要があるかどうかを判断するために、ネットワークノードによって評価されてもよい。
【００３０】
処理デバイスは、ページング不可能なＵＥのためのダウンリンクデータ送信を、ＵＥがモバイル発信（ＭＯ）トラフィックを開始するか、又はトラッキングエリア更新（ＴＡＵ）手続を行うまで、遅延させるように動作してもよい。
【００３１】
処理デバイスは、セルラネットワークによってページングされないＵＥのためのダウンリンクデータ送信を、ＵＥがＭＯトラフィックを開始するか、又はＴＡＵ手続を行うまで、遅延させるように動作してもよい。
【００３２】
ネットワークノードは、無線アクセスネットワークノードであってもよい。無線アクセスネットワークノードは、ｅＮｏｄｅＢであってもよい。無線アクセスネットワークノードは、ＮＢ−ＩｏＴ無線アクセスネットワークのノードであってもよい。
【００３３】
ネットワークノードは、コアネットワークノードであってもよい。コアネットワークノードは、ＭＭＥ又はＳＧＳＮであってもよい。
【００３４】
一実施形態によるシステムは、一実施形態によるユーザ機器と、一実施形態によるネットワークノードと、を備える。
【００３５】
ユーザ機器とセルラネットワークとの間の無線通信を行う方法は、ユーザ機器（ＵＥ）がページング可能かどうかを示す、又はＵＥがページングされるかどうかを示す、ページング関連情報を含むシグナリングメッセージを送信することを含む。ＵＥがページング不可能であるとページング可能性情報が示す場合に、ＵＥは、ページングチャネル上でリッスンしない。
【００３６】
ページング関連情報を含むシグナリングメッセージを送信することは、ＵＥによって、ＵＥがページング不可能であるとシグナリングすることを含んでもよい。非アクセス層（ＮＡＳ：non  access  stratum）メッセージは、ＵＥがページング不可能であることを示すために、ＵＥからＭＭＥ又は別のコアネットワークノードに送信されてもよい。
【００３７】
ページング関連情報を含むシグナリングメッセージを送信することは、セルラネットワークの無線アクセスネットワークによって、セルラネットワークが、それぞれのＵＥにページングしないことを示すシグナリングメッセージを送信することを含んでもよい。無線アクセスネットワークによって送信されるシグナリングメッセージは、ＴＡＵレスポンス、アタッチレスポンス、又はブロードキャストされるシステム情報であってもよい。
【００３８】
方法は、ＵＥがページング不可能であること、又はセルラネットワークがＵＥにページングしないことをシグナリングメッセージが示す場合に、ＵＥによって、ページングチャネル上でのリスニングを抑制することを含んでもよい。
【００３９】
方法は、ＵＥがページング不可能であること、又はセルラネットワークがＵＥにページングしないことをシグナリングメッセージが示す場合に、セルラネットワークによって、ＵＥにページングすることを抑制することを含んでもよい。
【００４０】
ＵＥが、ページング不可能なＮＢ−ＩｏＴデバイスであるとき、無線アクセスネットワークは、ＵＥにページングすることを抑制してもよい。
【００４１】
ＵＥが、拡張カバレッジ（ＥＣ）モードで動作するとき、無線アクセスネットワークノードは、ページング試行が行われるべきかどうかを判断してもよい。ページング試行が行われるべきである場合、ページング試行が１度だけ行われてもよい。１度のページング試行が失敗した場合、無線アクセスネットワークノードは、ＵＥがＭＯトラフィックを開始するか、又はＴＡＵ手続を実行するのを待機してもよい。ページング試行が行われるべきでない場合、無線アクセスネットワークノードは、ダウンリンクデータ送信が実行される前に、ＵＥがＭＯトラフィックを開始するか、又はＴＡＵ手続を実行するのを待機してもよい。
【００４２】
実施形態のうちのいずれか１つにおいて、ページング関連情報は、ページング構成を指定するページング構成情報であってもよい。ページング構成は、ＵＥが、
−  通常通り、ページング可能であるかどうか、
−  ページング不可能、即ちページングを受信することができないかどうか、又は
−  ページングを受信することができるが、ネットワークがこのデバイスについていかなるページングも送信しないため、ページングに対してリッスンしていないかどうか
を定義してもよい。
【００４３】
ページング構成は、ＵＥとネットワークとの間でシグナリングされるページング関連情報によって定義されてもよい。ページング構成は、ケイパビリティシグナリングにおいてＵＥからネットワークに送信されてもよく、又はネットワークがＵＥにページングしないことをネットワークがＵＥに通知するときに、ネットワークからＵＥに送信されてもよい。
【発明の効果】
【００４４】
実施形態による方法のさらなる特徴、及びそれによってそれぞれ達成される効果は、実施形態によるデバイス及びシステムの文脈において説明される特徴及び効果に対応する。
【００４５】
実施形態によるデバイス、システム、及び方法によって、ＵＥは、ページングに対するリスニングを抑制することができ、さらに、基地局は、それぞれのＵＥへのページングのいかなる送信も抑止することができる。
【００４６】
いくつかの実施形態が、マシンタイプ通信（ＭＴＣ）及びＮＢ−ＩｏＴデバイスの文脈において説明されてきたが、本明細書に開示される技術は、他のデバイス及び無線アクセスネットワーク技術に対しても活用され得る。
【図面の簡単な説明】
【００４７】
本発明の実施形態は、添付図面を参照して説明され、添付図面において、同一又は類似の参照番号は、同一又は類似の要素を示している。
【００４８】
【図１】一実施形態による、通信システムの概略図である。
【図２】一実施形態による、ユーザ機器のブロック図である。
【図３】一実施形態による、方法のフローチャートである。
【図４】一実施形態による、通信システムにおけるシグナリング図である。
【図５】一実施形態による、ＵＥによって送信されるページング可能性情報を含むＵＥケイパビリティシグナリングを示す。
【図６】一実施形態による、ＵＥによって送信されるページング可能性情報を含むＵＥケイパビリティシグナリングを示す。
【図７】一実施形態による、通信システムにおけるシグナリング図である。
【図８】一実施形態による、通信システムにおけるシグナリング図である。
【図９】一実施形態による、通信システムにおけるシグナリング図である。
【図１０】一実施形態による、通信システムにおけるシグナリング図である。
【図１１】一実施形態による、基地局のブロック図である。
【図１２】一実施形態による、方法のフローチャートである。
【図１３】一実施形態による、方法のフローチャートである。
【図１４】実施形態による、デバイスの配備シナリオを示す。
【発明を実施するための形態】
【００４９】
本発明の例示的な実施形態について、図面を参照して説明する。いくつかの実施形態が、特定の適用分野の文脈、例えば、ある通信技術の文脈において説明されるが、実施形態は、この適用分野に限定されない。特段の記述がない限り、様々な実施形態の特徴が、互いに組み合わされてもよい。
【００５０】
図１は、一実施形態による、通信システム１の概略図である。
【００５１】
通信システム１は、セルラネットワーク、及びユーザ機器（ＵＥ）１０、１９を備える。異なるＵＥは、異なるセルラネットワークとの通信用に動作し得る。例示として、基地局２０は、第１のコアネットワーク３０、及びセルラネットワークノード４１を有する第２のコアネットワーク４０の双方に接続され得る。第１のコアネットワーク３０は、レガシーＬＴＥコアネットワークであってもよい。ＵＥ１９は、基地局２０を介した第１のコアネットワーク３０との通信用に動作してもよい。第２のコアネットワーク４０は、ＣＩｏＴ（Cellular  Internet  of  Things）コアネットワークであってもよい。ＵＥ１０は、基地局２０を介した第２のコアネットワーク４０との通信用に動作してもよい。ＵＥ１０は、それが第１のコアネットワーク３０と通信できないように動作してもよい。
【００５２】
ＵＥ１９は、ｅＭＴＣ（evolved  Machine  Type  Communication）無線アクセスネットワーク（ＲＡＮ：radio  access  network）を介した通信用の無線インタフェースを有してもよい。ＵＥ１９は、３ＧＰＰ  ＴＲ３６．８８８  Ｖ１２．０．０（リリース１２）に記載されているＭＴＣ  ＲＡＮ及びリリース１３についてのｅＭＴＣを介した通信用のワイヤレスインタフェースを有してもよい。
【００５３】
ＵＥ１０は、ＮＢ−ＩｏＴ（Narrow  Band  Internet  of  Things）ＲＡＮを介した通信用の無線インタフェースを有してもよい。ＵＥ１０は、３ＧＰＰ  ＴＲ４５．８２０及び３ＧＰＰ  ＴＲ２３．７２０に記載されているＣＩｏＴネットワークとの通信用の無線インタフェースを有してもよい。ＵＥ１０は、３ＧＰＰ  ＴＲ４５．８２０  Ｖ１３．０．０（リリース１３）及び３ＧＰＰ  ＴＲ２３．７２０  Ｖ１．０．０（リリース１３）に記載されているＣＩｏＴネットワークとの通信用の無線インタフェースを有してもよい。
【００５４】
以下でより詳細に説明するように、ＵＥ１０及び／又はＵＥ１９は、それらがページング不可能であるように動作してもよい。例示として、ＵＥ１０は、ページング不可能なＮＢ−ＩｏＴデバイスのカテゴリに属してもよい。ＵＥ１９は、それがページング不可能であり得る、又はそのページング可能性が制限され得る、拡張カバレッジモードで動作してもよい。
【００５５】
ＵＥ１０又はＵＥ１９は、それぞれ、基地局２０又はコアネットワーク４０、３０に、ＵＥがページング不可能であることを示す情報を送信してもよい。代替的に、又は追加的には、基地局２０又はコアネットワーク４０、３０は、ＵＥ１０若しくはＵＥ１９をページング不可能であるように構成するよう動作してもよく、又はセルラネットワークがそれぞれのＵＥにページングしないことをＵＥに通知してもよい。ＵＥがページング不可能である場合、又はセルラネットワークが、それぞれのＵＥにページングしない場合、ＵＥは、ページングに対するリスニングを抑制する。ＵＥは、ページングチャネル上でリッスンするために起きている必要はない。ネットワークは、ＵＥに対してページングを送信する必要はない。ダウンリンクデータを送信するために、ＭＭＥ、基地局２０、又は他のセルラネットワークノードは、ＵＥがＴＡＵ手続を開始するまで、又はＭＯトラフィックを開始するまで、待機してもよい。
【００５６】
以下に詳細に説明される実施形態は、ページング関連情報を受信若しくは送信する、及び／又は、ある条件下でＵＥ１０、１９にページングすることを抑制する、基地局の文脈において提示されるが、ページングは、他のネットワークノードによって行われてもよいと理解されるであろう。例示として、ＭＭＥは、ＵＥ１０、１９から受信されるＮＡＳシグナリングメッセージに基づいて、ＵＥ１０、１９がページング不可能であることを判断してもよい。ＭＭＥは、ＵＥ１０、１９にページングすることを抑制してもよい。同様に、他のコアネットワークノード又は無線アクセスネットワークノードは、基地局２０の例示的な文脈において以下でより詳細に説明される処理を実行してもよい。
【００５７】
ＵＥ１０、１９がページング不可能なとき、又はＵＥ１０、１９がページングされないことをセルラネットワークがＵＥ１０、１９に通知するとき、ＵＥ１０、１９及びセルラネットワークは、レガシー間欠受信（ＤＲＸ）方式と比較してページングが減少されるように動作してもよい。ＵＥ１０、１９がページング不可能なとき、又はＵＥ１０、１９がページングされないことをセルラネットワークがＵＥ１０、１９に通知するとき、ＵＥ１０、１９及びセルラネットワークは、レガシー拡張ＤＲＸ（ｅＤＲＸ）方式と比較してページングが減少されるように動作してもよい。ＵＥ１０、１９がページング不可能なとき、又はセルラネットワークがＵＥ１０、１９にページングしないことを、セルラネットワークがＵＥ１０、１９に通知するとき、ＵＥ１０、１９は、ページング信号に対して常にリッスンすることを抑制してもよい。
【００５８】
セルラネットワークがＵＥ１０、１９にページングしないという決定は、動作モードに基づいて行われてもよい。例示として、ＵＥ１０、１９は、送信が何度も繰り返されるＥＣモードにおいて、ページング不可能であってもよい。ＵＥ１０、１９のページングは、ＥＣモードにおいて単一のページング試行に制限されてもよい。
【００５９】
代替的に、又は追加的には、セルラネットワークがＵＥ１０、１９にページングしないという決定は、ＵＥタイプに基づいて行われてもよい。例示として、ＵＥ１０がページング不可能なＮＢ−ＩｏＴデバイスのカテゴリに含まれるとき、ＵＥ１０は、ページング不可能であってもよい。
【００６０】
ページング制限は、ＥＣ動作の場合、又はＵＥがＮＢ−ＩｏＴデバイスである場合に、それに従って実装されてもよい。ＵＥがページングされることを妨げる、又はｅＤＲＸ方式と比較してページングを減少させる様々な実装が、以下、図２〜図１４を参照してより詳細に説明される。
【００６１】
図２は、一実施形態による、ＵＥ１０のブロック図である。ＵＥ１０は、センサ、又はウェアラブルデバイスであってもよい。
【００６２】
ＵＥ１０は、送信回路１２及び受信回路１３を含み得る無線インタフェースユニット１１を有する。無線インタフェースユニット１１は、ＮＢ−ＩｏＴ  ＲＡＮを介してＣＩｏＴ４０であり得るセルラネットワークへ信号を送信し、セルラネットワークから信号を受信するように構成され得る。無線インタフェースユニット１１は、ｅＭＴＣ（evolved  Machine−Type−Communication）ＲＡＮを介してレガシーＬＴＥセルラネットワーク３０であり得るセルラネットワークへ信号を送信し、セルラネットワークから信号を受信するように構成され得る。
【００６３】
無線インタフェースユニット１１の動作は、制御回路１４の制御下で調整可能であってもよい。制御回路１４は、１つ又は複数のプロセッサ、コントローラ、特定用途向け集積回路（ＡＳＩＣ：application  specific  integrated  circuit）、他の集積回路、又はこのようなデバイスの組み合わせを含み得る。
【００６４】
制御回路１４は、無線インタフェースユニット１１を制御して、ＵＥ１０がページング不可能であることを示すシグナリングメッセージをセルラネットワークに送信するように構成され得る。制御回路１４は、ＵＥ１０によってセルラネットワークに送信されるシグナリングメッセージが、ＵＥ１０がページング不可能であると示すときに、ＵＥ１０へのページングに対するリスニングを抑制するように無線インタフェースユニット１１を制御するよう構成され得る。
【００６５】
制御回路１４は、アタッチリクエスト又は他のメッセージにページング関連情報を含めるように動作してもよい。例示として、ページング関連情報は、アタッチリクエストメッセージ内のＭＳクラスマーク３を使用してもよい。情報エレメントは、ＵＥ１０とＭＭＥとの間のＮＡＳメッセージに含まれてもよい。
【００６６】
代替的に、又は追加的には、制御回路１４は、無線インタフェースユニット１１において基地局２０から受信されるシグナリングメッセージを評価してもよい。シグナリングメッセージは、ＵＥ１０がセルラネットワークによってページングされないことを示してもよい。このようなシグナリングメッセージの受信に応答して、制御回路１４は、セルラネットワークによってＵＥ１０に送信されるシグナリングメッセージが、ＵＥ１０がページングされないと示すときに、ＵＥ１０へのページングに対するリスニングを抑制するように、無線インタフェースユニット１１を制御するよう構成されてもよい。セルラネットワークは、それらのＵＥがページングに対するリスニングを止めるように、１つ又は複数のＵＥを制御してもよい。これは、多数のセンサがセル内に配備される大規模配備シナリオにおいて、又は無線アクセスネットワーク負荷に依存して、選択的に行われてもよい。
【００６７】
ＵＥ１０は、ページング不可能なＮＢ−ＩｏＴデバイスのカテゴリにＵＥ１０が属する場合にページング不可能であると、セルラネットワークに対して示してもよい。ＵＥがページング不可能であることに関する情報を含むシグナリングメッセージの送信によって、セルラネットワークには、例えば、ＵＥ１０がＭＯトラフィックを開始するか、又はＴＡＵ手続を実行するまで、ＵＥ１０へのダウンリンク送信が延期されなければならないと通知されてもよい。
【００６８】
ＵＥがページング不可能であることに関する情報は、ＵＥケイパビリティシグナリングメッセージに含まれてもよい。このために、３ＧＰＰ  ＴＳ３６．３０６  Ｖ１２．６．０（リリース１２）、又は３ＧＰＰ  ＴＳ２４．００８  Ｖ１３．３．０（リリース１３）において定義されるＵＥケイパビリティシグナリングメッセージが、ＵＥがページング不可能であることを示す情報を含むように修正されてもよい。この情報は、多様なやり方で符号化されてもよい。例示として、ＵＥカテゴリ標識が、ページング不可能であるＮＢ−ＩｏＴデバイスのクラスについて定義されてもよい。異なるＵＥカテゴリ標識が、ページング可能であるＮＢ−ＩｏＴデバイスについて定義されてもよい。代替的に、又は追加的には、ＵＥケイパビリティシグナリングメッセージは、ＵＥがページング可能かどうかを示す、又はＵＥがページング不可能であると示し得る、少なくとも１つのページング可能性標識ビットを含んでもよい。
【００６９】
図３は、一実施形態による、方法５０のフローチャートである。方法５０は、一実施形態に従って、ＵＥ１０によって実行され得る。
【００７０】
５１において、ＵＥは、ＵＥがページング不可能であることを示すページング関連情報を含む、ＵＥケイパビリティシグナリングメッセージを送信し得る。
【００７１】
５２において、ＵＥは、ページングに対するリスニングなしで動作し得る。無線インタフェースユニット１１は、ＵＥがページングチャネル上でリッスンしないように制御され得る。これによって、電力消費が減少され得る。
【００７２】
ダウンリンクトラフィックを受信するために、ＵＥは、ＭＯトラフィックを開始してもよく、又はＴＡＵ手続を実行してもよい。セルラネットワーク、例えば、ＭＭＥ４１は、ダウンリンクデータがＵＥに送信される信号上にピギーバックするまで、ＵＥがＭＯトラフィックを開始するか、又はＴＡＵ手続を実行するのを待機してもよい。
【００７３】
ＵＥがダウンリンク送信を受信し得る連続的な期間の間の時間間隔は、ＵＥがアップリンクデータ送信を実行する連続的な期間の間の時間間隔よりはるかに長くてもよい。
【００７４】
図４は、ＵＥがページング不可能であることを示すためのＵＥケイパビリティシグナリングを示す、シグナリング図である。
【００７５】
ＵＥ及びセルラネットワークは、ＲＲＣセットアップ６１を実行し得る。ＵＥ及びセルラネットワークは、認証手続６２を実行し得る。ＵＥ及びセルラネットワークは、ＮＡＳセキュリティ手続６３を実行し得る。
【００７６】
セルラネットワーク３０は、ＵＥ１０に向けてＵＥケイパビリティ照会６４を送信し得る。
【００７７】
ＵＥケイパビリティ照会６４の受信に応答して、ＵＥは、ＵＥ１０がページング不可能であることを示す情報を含む、ＵＥケイパビリティシグナリングメッセージ６５を送信し得る。
【００７８】
続くＵＥの動作において、ＵＥは、セルラネットワークからのページングを全くリッスンすることはない。
【００７９】
図５は、一実施形態による、ＵＥ１０によって送信され得るＵＥケイパビリティシグナリングメッセージ７０を示す。ＵＥケイパビリティシグナリングメッセージ７０は、少なくとも１つの、及び好ましくは複数のＵＥカテゴリ標識ビット７１を含み得る。ＵＥケイパビリティシグナリングメッセージ７０は、１つ又は複数のＵＥページング可能性標識ビット７２を含む。ＵＥページング可能性標識ビット７２は、ＵＥがページング不可能であることを示す第１の値に設定されてもよい。ＵＥページング可能性標識ビット７２が、ＵＥがページング不可能であることを示す第１の値に設定された、ＵＥページング可能性シグナリングメッセージ７０を受信することに応答して、セルラネットワークは、ＵＥ１０にページングすることを止めてもよく、又はページングを常に開始することを抑制してもよい。
【００８０】
ＵＥページング可能性標識ビット７２は、ＵＥがページング可能であることを示す第２の値に設定されてもよい。ＵＥページング可能性標識ビット７２が、ＵＥがページング可能であることを示す第２の値に設定された、ＵＥページング可能性シグナリングメッセージ７０を受信することに応答して、セルラネットワークは、多様な技術のうちのいずれか１つにおいて、ＵＥ１０にページングしてもよい。これらの技術は、セルラネットワークが、ＵＥ１０のページングを制限するように決定する技術を含んでもよく、それは、同様に、ＵＥ１０がページング可能なときでも、ＵＥ１０にページングに対するリスニングを抑制させる。
【００８１】
例示として、セルラネットワークのＭＭＥは、従来型ＤＲＸ方式又は拡張型ＤＲＸ（ｅＤＲＸ）方式に従って、ＵＥ１０にページングしてもよい。
【００８２】
セルラネットワークは、また、ＵＥ１０がページング可能なときでも、セルラネットワークがＵＥ１０にページングする予定がないこと、又は他のページング制限が適用されることを、ＵＥ１０に通知してもよい。例えば、セルラネットワークは、セルラネットワークがＵＥ１０にページングしないことをＵＥ１０に通知してもよい。セルラネットワークからこのような情報を受信することに応答して、ＵＥ１０は、ページングに対するリスニングを終了してもよい。ページング制限は、ＵＥ１０がＥＣモードで動作しているとき、例えば、即ちＭＴＣデバイスであるときに、セルラネットワークによって呼び出されてもよい。
【００８３】
図６は、一実施形態による、ＵＥ１０によって送信され得るＵＥケイパビリティシグナリングメッセージ７５を示す。ＵＥケイパビリティシグナリングメッセージ７５は、複数のＵＥカテゴリ標識ビット７６を含み得る。ＵＥカテゴリ標識ビット７６は、ＵＥがページング不可能なＮＢ−ＩｏＴデバイスであることを示す第１の値に設定されてもよい。ＵＥカテゴリ標識ビット７６が、ＵＥがページング不可能なＮＢ−ＩｏＴデバイスであることを示す第１の値に設定され得る、ＵＥページング可能性シグナリングメッセージ７５を受信することに応答して、セルラネットワークは、ＵＥ１０にページングすることを止めてもよく、又はＵＥ１０にページングすることを常に開始することを抑制してもよい。
【００８４】
ＵＥカテゴリ標識ビット７６は、ＵＥがページング可能なＮＢ−ＩｏＴデバイスであることを示す第２の値に設定されてもよい。ＵＥカテゴリ標識ビット７６が、ＵＥがページング可能なＮＢ−ＩｏＴデバイスであることを示す第２の値に設定された、ＵＥページング可能性シグナリングメッセージ７６を受信することに応答して、セルラネットワークは、上記で図５を参照して説明した多様な技術のうちのいずれか１つにおいて、ＵＥ１０にページングしてもよい。
【００８５】
図７は、ページング不可能なＮＢ−ＩｏＴデバイスであるＵＥの動作を示すシグナリング図である。
【００８６】
ユーザ機器がＣＩｏＴネットワークにアタッチするために、アタッチ手続８１が実行される。ＮＡＳシグナリングは、例えば、ＵＥのページング可能性をセルラネットワークに通知するために、アタッチ手続８１において実行され得る。アタッチ手続において、ＵＬデータの量は、例えば、バッファ状態レポート（ＢＳＲ：buffer  status  report）を使用してアナウンスされ得る。例示として、バッファレベルが閾値を超えることをＢＳＲが示す場合に、ＣＩｏＴは、ステップ８２及び８３を完結させるためにＵＥのＵＬリソースを認可し得る。ＲＲＣ接続確立８２の後、最初のＵＥメッセージ８３が、送信され得る。メッセージ８３は、暗号化データを含んでもよく、任意で、確認応答が必要かどうかについての情報を含んでもよい。メッセージ８３は、ステップ８２のＲＲＣ接続確立の一部として、ＮＡＳ  ＰＤＵユーザデータ送信を含んでもよい。
【００８７】
ＮＢ−ＩｏＴデバイスであるＵＥは、アタッチ手続８１において、又はＲＲＣ接続確立８２の間に、ページング可能性情報を送信してもよい。これは、ＵＥが、ＴＡＵを実行することなくそのページング可能性を変更したい場合に行われ得る。通常のケイパビリティシグナリングは、最初のアタッチ／ネットワーク登録において行われ得る。いくつかのＵＥパラメータは、ＴＡＵ手続で更新され得る。
【００８８】
ページング不可能なＮＢ−ＩｏＴデバイスであるＵＥが、データ送信前のシグナリングを減少させた可能性があり、それが、ユーザデータが送信又は受信され得る前にユーザ機器によって送信又は受信される必要があるメッセージの数を、ｅＭＴＣ又はレガシーＬＴＥ手続と比較して減少させ、ユーザ機器の複雑性及び関連する電力消費を減少させると理解されるであろう。ページング不可能なＮＢ−ＩｏＴデバイスが、ページングに対してリッスンする必要がないという事実に起因して、さらに電力消費が減少され得る。
【００８９】
ＵＥがページング不可能であることを示すＵＥケイパビリティシグナリングに加えて、又は代替として、セルラネットワークは、また、セルラネットワークがＵＥにページングしないことをＵＥに通知してもよい。このようなシグナリングメッセージ又はブロードキャストメッセージに応答して、ＵＥは、ページングチャネル上でのリスニングを止めてもよく、又は、ページングに対するリスニングを常に開始することを抑制してもよい。
【００９０】
図８は、一実施形態による、通信システムにおけるシグナリング図である。ＵＥ１０は、セルラネットワークからアタッチレスポンス９１を受信し得る。アタッチレスポンス９１は、セルラネットワークがＵＥ１０にページングしないことを示すページング関連情報を含み得る。代替的には、ページング関連情報は、他のページング制限が適用されることを示してもよい。アタッチレスポンス９１を受信することに応答して、ＵＥ１０は、９２において、ページングチャネル上でのリスニングを抑制する。ＵＥ１０の進行中の動作中に、ＵＥ１０は、ＵＥ１０がセルラネットワークからのページングに対してリスニングしないように動作してもよい。
【００９１】
図９は、一実施形態による、通信システムにおけるシグナリング図である。ＵＥ１０は、ＴＡＵリクエスト９３を送信し得る。ＵＥ１０は、ＴＡＵレスポンス９４を受信し得る。ＴＡＵレスポンス９４は、セルラネットワークがＵＥ１０にページングしないことを示すページング関連情報を含み得る。代替的には、ページング関連情報は、他のページング制限が適用されることを示してもよい。ＴＡＵレスポンス９４を受信することに応答して、ＵＥ１０は、９２においてページングチャネル上でのリスニングを抑制する。ＵＥ１０の進行中の動作中に、ＵＥ１０は、ＵＥ１０がセルラネットワークからのページングに対してリスニングしないように動作してもよい。
【００９２】
図１０は、一実施形態による、通信システムにおけるシグナリング図である。ＵＥ１０は、システム情報９５を受信し得る。システム情報９５は、１つ又は複数のシステム情報ブロックを含み得る。システム情報９５は、セルラネットワークがＵＥ１０にページングしないこと、又は、セルラネットワークが、ＵＥ１０が属するあるＵＥクラスを有するいかなるＵＥにもページングしないことを示すページング関連情報を含み得る。代替的には、ページング関連情報は、他のページング制限が適用されることを示してもよい。システム情報９５を受信することに応答して、ＵＥ１０は、９２においてページングチャネル上でのリスニングを抑制する。ＵＥ１０の進行中の動作中に、ＵＥ１０は、ＵＥ１０がセルラネットワークからのページングに対してリスニングしないように動作してもよい。
【００９３】
図１１は、一実施形態による、基地局２０の機能ブロック図である。基地局２０は、ｅＮｏｄｅＢであってもよい。基地局２０は、第１のコアネットワーク３０に連結するための第１のコアネットワークインタフェースを有してもよい。基地局２０は、ＣＩｏＴ  ＣＮであり得る第２のコアネットワーク４０に連結するための第２のコアネットワークインタフェースを有してもよい。
【００９４】
基地局２０は、少なくとも１つの無線インタフェースユニット２１を有する。少なくとも１つの無線インタフェースユニット２１は、送信回路２２及び受信回路２３を含む。
【００９５】
基地局２０は、少なくとも１つの無線インタフェースユニット２１に連結されて少なくとも１つの無線インタフェースユニット２１を制御するように動作する処理デバイス２４を含む。基地局２０は、ＵＥ１０がページング不可能であると示すケイパビリティシグナリングメッセージをＵＥ１０から受信することに応答して、ＵＥ１０が、いかなるページングも受信しないように動作してもよい。無線インタフェースユニット２１の送信回路２２は、ページング不可能であるＵＥ１０についてページングが送信されないように制御されてもよい。
【００９６】
基地局２０は、処理デバイス２４が、ページング不可能なＵＥ１０宛のダウンリンクデータを記憶デバイス２５にバッファさせるように、動作してもよい。ページング不可能なＵＥ１０が、ＭＯトラフィックを開始し、又はＴＡＵ手続を実行するときにのみ、ダウンリンクデータは、ページング不可能なＵＥ１０に向けて送信されてもよい。基地局２０が、ページング不可能なＵＥ１０宛のダウンリンクデータを基地局２０に記憶し得る一方、ダウンリンクデータは、ＭＭＥ４１などの他のセルラネットワークノードにも記憶されてもよい。
【００９７】
セルラネットワークに測定結果を主に報告する、又は報告することが予定される、センサ又はウェアラブルデバイスの大規模な配備とともに、ダウンリンク送信についての長いレイテンシに対応し得るＵＥの数が増加していると理解されるであろう。ＮＢ−ＩｏＴデバイス又はｅＭＴＣデバイスは、ダウンリンク送信についての長いレイテンシに対応し得る、及びしたがってページングされる必要がない可能性がある、ＵＥの例示である。
【００９８】
処理デバイス２４は、また、セルラネットワークがＵＥ１９にページングする予定がないことをページング可能なＵＥ１９に通知するように送信回路２２を制御するよう動作してもよい。処理デバイス２４は、ＲＡＮを介して、セルラネットワークがＵＥ１９にページングする予定がないことを示す情報を送信するように送信回路２２を制御してもよい。
【００９９】
基地局２０は、セルラネットワークがＵＥ１９にページングしないことをＵＥ１９に通知した後で、ＵＥ１９がいかなるページングも受信しないように動作してもよい。無線インタフェースユニット２１の送信回路２２は、ページングされるべきでないＵＥ１９についてページングが送信されないように制御されてもよい。
【０１００】
基地局２０は、処理デバイス２４が、ページングされないＵＥ１９宛のダウンリンクデータを記憶デバイス２５にバッファさせるように、動作してもよい。ＵＥ１９が、ＭＯトラフィックを開始し、又はＴＡＵ手続を実行するときにのみ、ダウンリンクデータは、ページングされないＵＥ１９に向けて送信されてもよい。基地局２０が、ＵＥ１９宛のダウンリンクデータを基地局２０に記憶し得る一方、ダウンリンクデータは、また、ＭＭＥ４１、又はサービングゲートウェイ（ＳＧＷ）、又はＰＤＮゲートウェイ（ＰＧＷ）、又はＳＭＳサーバなどの他のセルラネットワークノードに記憶されてもよい。
【０１０１】
基地局２０が、図１１を参照して説明されているが、コアネットワークノードを含む他のセルラネットワークノードが、ＵＥがページングされるべきかどうかを判断するように動作してもよいと理解されるであろう。例示として、ＣＮ内のＭＭＥは、ＵＥによってセルラネットワークに提供されるページング可能性情報を評価するように動作してもよい。ＵＥがページング不可能であると、ページング可能性情報が示す場合、ＭＭＥは、ＵＥにページングすることを抑制してもよい。
【０１０２】
他のページング制限が、代替的又は追加的に使用されてもよい。例示として、１度だけのページング試行が、セルラネットワークによって実行されてもよい。セルラネットワークは、最新のカバレッジ拡張（ＣＥ）レベル及びセルについての情報を１度のページング試行において使用してもよい。ＵＥが、１度のページング試行に応答しない場合、セルラネットワークは、ＵＥが、ＭＯトラフィックを開始するか、又はＴＡＵ手続を行うのを待機することとなる。ＭＭＥは、次いで、その情報をピギーバックし得る。
【０１０３】
ＥＣモードで動作しているＵＥの場合、基地局２０は、セルラネットワークが、それぞれのＵＥにページングすることを抑制するかどうか、又は１度だけのページング試行が使用されるかどうかを選択的に判断してもよい。
【０１０４】
図１２は、一実施形態による、方法１００のフローチャートである。方法１００は、基地局２０、又はＭＭＥ４１などのセルラネットワークノードによって実行され得る。
【０１０５】
１０１において、ダウンリンク（ＤＬ）データが、ＵＥに送信されることとなる。
【０１０６】
１０２において、ＵＥがページング不可能かどうか、又は、そうでない場合にＵＥがページングチャネル上でページングに対してリッスンしないように命令されたかどうかが判断される。ＵＥがページング可能である場合、及びセルラネットワークがＵＥにページングするのを抑制することをＵＥが通知されなかった場合に、方法は、１０３に進む。
【０１０７】
１０３において、セルラネットワークはＵＥにページングする。１０４において、ＤＬデータが、ＵＥに送信される。
【０１０８】
１０５において、ＵＥがページング可能であるか、又はセルラネットワークがＵＥにページングするのを抑制することをＵＥが通知されなかったと判断される場合に、ＤＬデータが記憶され得る。ＤＬデータは、データに依存して、選択的に記憶され得る。ＤＬデータは、基地局２０又は別のセルラネットワークノードの記憶デバイスに記憶され得る。
【０１０９】
１０６において、ＵＥが、ＭＯデータ送信を開始するかどうか、又はＴＡＵ手続を実行するかどうかが判断される。基地局２０又は他のセルラネットワークノードは、ＵＥが、ＭＯデータ送信を開始した後、又はＴＡＵ手続を実行した後まで、ステップ１０６におけるモニタリングを継続し得る。
【０１１０】
１０７において、ＵＥがＭＯデータ送信を開始した後、又はＴＡＵ手続を実行した後、ＤＬデータが、ＵＥに送信される。ＤＬデータ送信は、利用可能なＲＲＣ接続を利用して、ＴＡＵ手続又はＭＯトラフィック上にピギーバックされ得る。
【０１１１】
ＵＥがＥＣモードで動作する場合、又はＵＥがＮＢ−ＩｏＴデバイスである場合に、ページング制限が、選択的に利用され得る。このことが、図１３を参照してより詳細に説明される。
【０１１２】
図１３は、一実施形態による、方法１１０のフローチャートである。方法１１０は、基地局２０、又はＭＭＥ４１などのセルラネットワークノードによって実行され得る。
【０１１３】
１１１において、ダウンリンク（ＤＬ）データが、ＵＥに送信されることとなる。
【０１１４】
１１２において、ＤＬデータが送信されることとなるＵＥが、ＥＣモードで動作しているかどうかが判断される。ＵＥが、ＥＣモードで動作していない場合、方法は、ステップ１１３及び１１４に進む。１１３において、セルラネットワークが、ＵＥにページングする。１１４において、ＤＬデータが、ＵＥに送信される。
【０１１５】
ＵＥがＥＣモードにあるとステップ１１２において判断された場合、１１５において、ＵＥがページングされ得るかどうかが判断される。これは、例えば、図１２のステップ１０２を参照して説明される、決定ロジックを用いて実装され得る。ＵＥがページングされ得るかどうかを判断することは、ＵＥが、ページング不可能なＮＢ−ＩｏＴデバイスであるとケイパビリティシグナリングにおいてＵＥが示されていたかどうか、及びセルラネットワークが、ＵＥにページングする予定がないと示されていたかどうかを判断することを含み得る。
【０１１６】
ＵＥがページングされ得ると判断される場合、方法は、１１６に進み得る。
【０１１７】
１１６において、ＥＣモードで動作しているＵＥは、１度だけページングされ得る。基地局は、１度だけのページング試行を行う際に、最新のＣＥレベル及びセルに関する情報を使用し得る。
【０１１８】
１１７において、ページング試行が成功したかどうかが判断される。ページング試行が成功した場合、方法は、１１８に進み、ＤＬデータがＵＥに送信される。
【０１１９】
１１９において、ＵＥがページングされ得ない場合、又は１１６におけるページング試行が失敗であった場合に、ＵＥがＭＯデータ送信を開始するか、又はＴＡＵ手続を実行するかどうかが判断される。基地局２０又は他のセルラネットワークノードは、ＵＥが、ＭＯデータ送信を開始するか、又はＴＡＵ手続を実行するまで、ステップ１１９においてモニタリングを継続してもよい。ネットワークは、データがＵＥに送信され得るまで、必要又は可能であれば、データを記憶してもよい。
【０１２０】
１２０において、ＵＥがＭＯデータ送信を開始した後、又はＴＡＵ手続を実行した後、ＤＬデータが、ＵＥに送信される。ＤＬデータ送信は、利用可能なＲＲＣ接続を利用して、ＴＡＵ手続又はＭＯトラフィック上にピギーバックされ得る。
【０１２１】
ＵＥにページングに対するリスニングを抑制させる、又はページングを１度だけのページング試行に制限する、ページング制限は、セルのカバレッジが拡張されることとなるときに活用されてもよく、例えば、送信が、数回繰り返されるＥＣモードについて、ＮＢ−ＩｏＴ動作のためである。カバレッジの拡張が、図１４に示されている。
【０１２２】
図１４は、ユーザ機器がページングに対するリスニングを抑制し得る、又はセルラネットワークがＵＥにページングする予定がないことをＵＥに通知し得る、拡張カバレッジ半径モードを示す。レガシーＬＴＥにおける通常のカバレッジは、第１のカバレッジ半径１３１によって定義される。ＥＣモードのｅＭＴＣデバイスは、第２の、拡張されたカバレッジ１３２を有する。あるカバレッジ拡張（ＣＥ）レベルを有し得るＮＢ−ＩｏＴは、第３の、これまでよりさらに拡張されたカバレッジ１３３を提供し得る。ｅＭＴＣデバイス、又はＮＢ−ＩｏＴデバイスは、また、異なるＥＣを結合し得ると理解されるであろう。センサ、又はＮＢ−ＩｏＴに従って動作するウェアラブルデバイスであり得るＵＥ１０は、セルラネットワークからのページングに対するリスニングを抑制し得る。
【０１２３】
実施形態によるデバイス、方法、及びシステムによって、様々な効果が達成される。例示として、ユーザ機器のバッテリー寿命が、延長され得る。無線アクセスネットワークの負荷が減少され得る。このことは、ページングがｅＤＲＸと比較してこれまでよりさらに減少され、例えば、ＵＥにページングについてのリスニングを抑制させる、ページング制限を実装することによって達成される。ページング制限によって、セルラネットワークは、１つ又は複数のＵＥにページングすることを抑制してもよい。
【０１２４】
実施形態のうちのいずれか１つにおいて、ページング関連情報は、ページング構成を指定するページング構成情報であってもよい。ページング構成は、ＵＥが、
−  通常通り、ページング可能であるかどうか、
−  ページング不可能、即ち、ページングを受信することができないかどうか、又は
−  ページングを受信することができるが、ネットワークがこのデバイスについていかなるページングも送信しないため、ページングに対してリッスンしていないかどうか
を定義してもよい。
【０１２５】
ページング構成は、ＵＥとネットワークとの間でシグナリングされるページング関連情報によって定義され得る。ページング構成は、ケイパビリティシグナリングにおいてＵＥからネットワークに送信されてもよく、又はネットワークがＵＥにページングしないことをネットワークがＵＥに通知するときに、ネットワークからＵＥに送信されてもよい。
【０１２６】
例示的な実施形態が、図面を参照して説明されてきたが、他の実施形態において、修正が実施されてもよい。例示として、実施形態が、例示的なセルラネットワーク及び無線アクセスネットワークの文脈において説明されてきたが、本明細書で論じた技術は、多岐にわたる他のセルラネットワークに適用可能である。さらなる例示として、ページング制限が適用され得る例示的な動作モード及びデバイスクラスが説明されてきたが、他のモード又はＵＥクラスもまた、ページング制限を受けてもよい。
【０１２７】
ユーザ機器は、センサ又はウェアラブルデバイスであってもよいが、本明細書で論じた技術は、また、他のユーザ機器と併せて使用されてもよい。
【０１２８】
本発明は、ある好適な実施形態に関して示され、及び説明されてきたが、明細書を読むこと、及び理解することに基づいて、他の当業者は、均等物及び修正物に想到するであろう。本発明は、そのような均等物及び修正物全てを含み、以下の特許請求の範囲のみによって限定される。
【図１】
0006633202.tif 000002
【図２】
0006633202.tif 000003
【図３】
0006633202.tif 000004
【図４】
0006633202.tif 000005
【図５】
0006633202.tif 000006
【図６】
0006633202.tif 000007
【図７】
0006633202.tif 000008
【図８】
0006633202.tif 000009
【図９】
0006633202.tif 000010
【図１０】
0006633202.tif 000011
【図１１】
0006633202.tif 000012
【図１２】
0006633202.tif 000013
【図１３】
0006633202.tif 000014
【図１４】
0006633202.tif 000015